(57)【要約】【課題】国や地域毎に変調方式が異なる場合にも、各国または地域において所望のコンテンツを円滑に再生できる光ディスクおよび光ディスク装置を提供する。【解決手段】ディスク１０は、積層方向に複数の記録層（レイヤー０〜３）を有している。各レイヤーは、それぞれ、ＢＣＡ１２ａ〜１２ｄと、リードイン領域１３と、データ領域１４とに区分されている。レイヤー０、１のリードイン領域１３とデータ領域１４には、ＥＴＭにて変調されて対応する情報が記録され、レイヤー２、３のリードイン領域１３とデータ領域１４には、ＦＳＭにて変調されて対応する情報が記録されている。レイヤー０〜４のＢＣＡには、共通の変調方式にて変調されてＢＣＡ情報が保持されている。ＢＣＡ情報には、各レイヤーのリードイン情報とユーザデータがどの変調方式にて変調されているかを示すレイヤー変調情報が保持されている。【選択図】図３
2009245472.tif 000002
【特許請求の範囲】
【請求項１】
積層方向に複数の記録層を有する再生専用の光ディスクにおいて、
前記各記録層は、それぞれ、
円周方向に間欠的に記録層を消失させて第１の情報を保持する第１の領域と、
当該光ディスクを管理するための第２の情報を保持する第２の領域と、
ユーザ情報を保持する第３の領域とに区分され、
これら記録層の前記第３の領域のうち少なくとも一つに、他の前記第３の領域とは異なる変調方式にて前記ユーザ情報が変調されて保持され、
これら記録層の前記第１の領域には、共通の変調方式にて前記第１の情報が変調されて保持されており、
前記第１の情報には、当該第１の情報が保持された記録層と同じ記録層に保持されている前記ユーザ情報の変調方式に関する情報が保持されている、
ことを特徴とする光ディスク。
【請求項２】
請求項１において、
前記各記録層の前記第１の領域は、ディスク径方向において互いに重ならない位置に配置されている、
ことを特徴とする光ディスク。
【請求項３】
請求項１または２において、
前記積層方向に隣り合う前記記録層の前記第３の領域には、互いに異なる変調方式にて前記ユーザ情報が変調されて記録されている、
ことを特徴とする光ディスク。
【請求項４】
請求項１ないし３の何れか一項において、
同一記録層上の前記第２の領域と第３の領域には、それぞれ、前記第２の情報と前記ユーザ情報が、同じ変調方式にて変調されて記録されている、
ことを特徴とする光ディスク。
【請求項５】
請求項１ないし３の何れか一項において、
各記録層の前記第２の領域には、これら第２の領域に共通の変調方式であって、前記第１の領域に適用される変調方式と同じ変調方式により、前記第２の情報が変調されて保持されている、
ことを特徴とする光ディスク。
【請求項６】
請求項５において、
前記第２の情報にも、当該第２の情報が保持された記録層と同じ記録層に保持されている前記ユーザ情報の変調方式に関する情報が保持されている、
ことを特徴とする光ディスク。
【請求項７】
積層方向に複数の記録層を有する再生専用の光ディスクを再生する光ディスク装置において；
前記光ディスクの各記録層は、それぞれ、
円周方向に間欠的に記録層を消失させて第１の情報を保持する第１の領域と、
当該光ディスクを管理するための第２の情報を保持する第２の領域と、
ユーザ情報を保持する第３の領域とに区分され、
これら記録層の前記第３の領域のうち少なくとも一つに、他の前記第３の領域とは異なる変調方式にて前記ユーザ情報が変調されて保持され、
これら記録層の前記第１の領域には、共通の変調方式にて前記第１の情報が変調されて保持されており、
前記第１の情報には、当該第１の情報が保持された記録層と同じ記録層に保持されている前記ユーザ情報の変調方式に関する情報が保持されており；
光ピックアップと、
前記光ピックアップからの信号をもとに前記第１の領域に保持された前記第１の情報を復調して再生する第１の再生手段と、
前記光ピックアップからの信号をもとに前記第３の領域に保持された前記ユーザ情報を復調して再生する第２の再生手段と、
前記第１の再生手段によって再生された前記第１の情報中の前記変調方式に関する情報を参照して前記各記録層のうち前記第２の再生手段にて再生可能な変調方式の記録層を判別する判別手段と、
前記判別手段による判別結果に基づいて、前記再生可能な変調方式の記録層に含まれる前記第３の領域を、前記第２の再生手段によって再生する再生制御手段と、
を有することを特徴とする光ディスク装置。
【請求項８】
請求項７において、
前記積層方向に隣り合う前記記録層の前記第３の領域には、互いに異なる変調方式にて前記ユーザ情報が変調されて記録されており、
前記第２の再生手段は、前記光ピックアップからの信号のうち前記再生可能な変調方式に対応する周波数成分の信号を抽出するフィルタを有する、
ことを特徴とする光ディスク装置。
【請求項９】
請求項７または８において、
各記録層の前記第２の領域には、これら第２の領域に共通の変調方式であって、前記第１の領域に適用される変調方式と同じ変調方式により、前記第２の情報が変調されて保持され、さらに、
前記第２の情報にも、当該第２の情報が保持された記録層と同じ記録層に保持されている前記ユーザ情報の変調方式に関する情報が保持されており、
前記判別手段は、前記第１の情報および第２の情報中の前記変調方式に関する情報の双方または何れか一方を参照して、前記各記録層のうち前記第２の再生手段にて再生可能な変調方式の記録層を判別する、
ことを特徴とする光ディスク装置。
【発明の詳細な説明】
【技術分野】
【０００１】
本発明は、積層方向に複数の記録層を有する再生専用の光ディスクおよびこの光ディスクを再生するための光ディスク装置に関するものである。
【背景技術】
【０００２】
近年、大容量の記録媒体としてＨＤＤＶＤ（High-Definition Digital Versatile Disc：以下、「ＨＤ」という）の商品化が進められている。ＨＤの記録方式は、現在、世界的に統一されつつあるが、一部の国では、独自の記録方式が用いられる可能性もある。
【０００３】
たとえば、ＨＤ規格では、記録信号の変調方式としてＥＴＭ（８−１２変調：Eight to Twelve Modulation）が用いられることとなっているが、中国では、再生専用型ＨＤ（ＨＤ−ＲＯＭ：Read Only Memory）の変調方式として、ＥＴＭとは異なるＦＳＭ（４−６変調：Four to Six Modulation）が、既に採用されている。このため、中国国内のプレーヤでは、他の国のＨＤ−ＲＯＭを再生することはできず、ＨＤ−ＲＯＭに関しては、自国内で市場が閉じられた状態となっている。
【０００４】
このように、ＲＯＭディスクの変調方式は、全世界共通であるとは限らず、将来的に、種々の変調方式が国や地域毎に採用される可能性がある。しかし、こうなると、国毎にＨＤ−ＲＯＭを個別に生成して提供しなければならなくなる。たとえば、国際会議など、各国の代表者が介する会場でＨＤ−ＲＯＭを配布するような場合には、同じコンテンツであるにも拘らず、国や地域毎に個別にＨＤ−ＲＯＭを作成して配布する必要がある。このため、配布者側は、参加国と参加人数を事前に把握する等して、国毎に必要な枚数のＨＤ−ＲＯＭを、変調方式を変更しながら準備しなければならず、煩雑な調整作業を行わねばならなくなる。
【特許文献１】特開２００７−２２０２９４号公報
【発明の開示】
【発明が解決しようとする課題】
【０００５】
本発明は、上記課題を解消するためになされたものであり、国や地域毎に変調方式が異なる場合にも、各国または地域において所望のコンテンツを円滑に再生できる光ディスクおよび光ディスク装置を提供することを目的とする。
【課題を解決するための手段】
【０００６】
本発明の第１の態様は、積層方向に複数の記録層を有する再生専用の光ディスクにおいて、前記各記録層は、それぞれ、円周方向に間欠的に記録層を消失させて第１の情報を保持する第１の領域と、当該光ディスクを管理するための第２の情報を保持する第２の領域と、ユーザ情報を保持する第３の領域とに区分され、これら記録層の前記第３の領域のうち少なくとも一つに、他の前記第３の領域とは異なる変調方式にて前記ユーザ情報が変調されて保持されている。そして、これら記録層の前記第１の領域には、共通の変調方式にて前記第１の情報が変調されて保持されており、さらに、前記第１の情報には、当該第１の情報が保持された記録層と同じ記録層に保持されている前記ユーザ情報の変調方式に関する情報が保持されている。
【０００７】
この態様によれば、各記録層の第１の領域に共通の変調方式にて第１の情報が保持されているため、何れの国のプレーヤも第１の情報を再生することができる。そして、この第１の情報に、各記録層に保持されたユーザ情報の変調方式に関する情報が含まれているため、何れの国のプレーヤも、そのプレーヤで再生可能な記録層を識別することができる。したがって、たとえば、同じ内容のユーザ情報を、変調方式を変えながら対応する記録層の第３の領域に保持させておけば、各国のプレーヤは、適宜、再生可能な記録層を読み出すことにより、ユーザ情報を再生することができる。このように、本態様によれば、１枚のディスクによって、変調方式が互いに異なる国のプレーヤに対応することができる。
【０００８】
本発明の第２の態様は、第１の態様に係る光ディスクにおいて、前記各記録層の前記第１の領域は、ディスク径方向において互いに重ならない位置に配置されていることを特徴とする。
【０００９】
こうすると、第１の領域の読み出しの際に、当該第１の領域からの反射光に、他の記録層の第１の領域からの迷光が混入しないため、第１の情報を円滑かつ適正に再生することができる。よって、プレーヤは、再生可能な記録層を適正に判別することができる。
【００１０】
本発明の第３の態様は、第１または第２の態様に係る光ディスクにおいて、前記積層方向に隣り合う前記記録層の前記第３の領域に、互いに異なる変調方式にて前記ユーザ情報が変調されて記録されていることを特徴とする。
【００１１】
こうすると、再生対象とされる記録層上の第３の領域からの反射光に基づく信号の周波数帯と、その上下の記録層（第３の領域）からの迷光に基づく信号の周波数帯を相違させることができる。よって、プレーヤにおいて、再生対象の第３の領域に基づく信号の周波数成分をフィルタによって抽出するようにすれば、その上下の記録層からの迷光による影響を抑制することができ、ユーザ情報を円滑に再生することができる。
【００１２】
本発明の第４の態様は、第１ないし第３の態様の何れかに係る光ディスクにおいて、同一記録層上の前記第２の領域と第３の領域には、それぞれ、前記第２の情報と前記ユーザ情報が、同じ変調方式にて変調されて記録されていることを特徴とする。こうすると、第１の情報をもとに再生可能とされた記録層の第２および第３の領域を、同じ復調方式にて再生することができる。
【００１３】
本発明の第５の態様は、第１ないし第３の態様の何れかに係る光ディスクにおいて、各記録層の前記第２の領域には、これら第２の領域に共通の変調方式であって、前記第１の領域に適用される変調方式と同じ変調方式により、前記第２の情報が変調されて保持されていることを特徴とする。こうすると、各国のプレーヤは、第１の領域のみならず第２の領域も再生することができる。
【００１４】
本発明の第６の態様は、第５の態様に係る光ディスクにおいて、前記第２の情報にも、当該第２の情報が保持された記録層と同じ記録層に保持されている前記ユーザ情報の変調方式に関する情報が保持されていることを特徴とする。
【００１５】
こうすると、プレーヤは、第１の情報と第２の情報の双方または何れか一方から、再生可能な記録層を判別することができる。よって、プレーヤは、第１の情報を読み出せない場合にも、第２の情報から再生可能な記録層を判別することができ、また、第１の情報を読み出せた場合にも、第１の情報に基づく判別結果の適否を第２の情報をもとに確認することができる。
【００１６】
本発明の第７の態様は、積層方向に複数の記録層を有する再生専用の光ディスクを再生する光ディスク装置に関するものである。ここで、光ディスクの各記録層は、それぞれ、円周方向に間欠的に記録層を消失させて第１の情報を保持する第１の領域と、当該光ディスクを管理するための第２の情報を保持する第２の領域と、ユーザ情報を保持する第３の領域とに区分され、これら記録層の前記第３の領域のうち少なくとも一つに、他の前記第３の領域とは異なる変調方式にて前記ユーザ情報が変調されて保持されている。そして、これら記録層の前記第１の領域には、共通の変調方式にて前記第１の情報が変調されて保持されており、さらに、前記第１の情報には、当該第１の情報が保持された記録層と同じ記録層に保持されている前記ユーザ情報の変調方式に関する情報が保持されている。この態様に係る光ディスク装置は、光ピックアップと、前記光ピックアップからの信号をもとに前記第１の領域に保持された前記第１の情報を復調して再生する第１の再生手段と、前記光ピックアップからの信号をもとに前記第３の領域に保持された前記ユーザ情報を復調して再生する第２の再生手段と、前記第１の再生手段によって再生された前記第１の情報中の前記変調方式に関する情報を参照して前記各記録層のうち前記第２の再生手段にて再生可能な変調方式の記録層を判別する判別手段と、前記判別手段による判別結果に基づいて、前記再生可能な変調方式の記録層に含まれる前記第３の領域を、前記第２の再生手段によって再生する再生制御手段とを有することを特徴とする。この態様によれば、上記第１の態様について述べたと同様の効果が奏される。
【００１７】
本発明の第８の態様は、第７の態様に係る光ディスク装置において、前記積層方向に隣り合う前記記録層の前記第３の領域には、互いに異なる変調方式にて前記ユーザ情報が変調されて記録されており、前記第２の再生手段は、前記光ピックアップからの信号のうち前記再生可能な変調方式に対応する周波数成分の信号を抽出するフィルタを有することを特徴とする。この態様によれば、上記第３の態様について述べたと同様の効果が奏される。
【００１８】
本発明の第９の態様は、第７または第８の態様に係る光ディスク装置において、各記録層の前記第２の領域には、これら第２の領域に共通の変調方式であって、前記第１の領域に適用される変調方式と同じ変調方式により、前記第２の情報が変調されて保持され、さらに、前記第２の情報にも、当該第２の情報が保持された記録層と同じ記録層に保持されている前記ユーザ情報の変調方式に関する情報が保持されており、前記判別手段は、前記第１の情報および第２の情報中の前記変調方式に関する情報の双方または何れか一方を参照して、前記各記録層のうち前記第２の再生手段にて再生可能な変調方式の記録層を判別することを特徴とする。この態様によれば、上記第６の態様について述べたと同様の効果が奏される。
【発明の効果】
【００１９】
以上のとおり本発明によれば、国や地域毎に変調方式が異なる場合にも、各国または地域において所望のコンテンツを円滑に再生できる光ディスクおよび光ディスク装置を提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態によって何ら制限されるものではない。
【発明を実施するための最良の形態】
【００２１】
以下、本発明の実施の形態につき図面を参照して説明する。本実施の形態は、ＨＤ−ＲＯＭおよびその再生装置に本発明を適用したものである。
【００２２】
図１に、記録層を４層有する場合のディスク１０の構造を示す。図示の如く、ディスク１０は、基板１０１の上に、４つの記録層１０２と、３つの中間層１０３と、基板１０４と、印刷層１０５を順番に積層した構造を有している。
【００２３】
基板１０１、１０４は、ポリカーボネート等、波長４００ｎｍ程度のレーザ光を透過しやすい材料にて形成されている。この他、基板１０１、１０４を形成する材料として、ポリオレフィンや、ポリ乳酸等を主成分とする生分解性材料を用いることもできる。基板１０１、１０４上には、ピット列からなるトラックが螺旋状に形成されている。これら基板１０１、１０４は、射出成型によって形成される。
【００２４】
４つの記録層１０２のうち、レーザ光入射側から１層目（レイヤー０）、２層目（レイヤー１）および３層目（レイヤー２）は半透過性材料によって形成され、最も奥にある記録層１０２（レイヤー３）は、高反射率材料によって形成される。
【００２５】
１層目（レイヤー０）と４層目（レイヤー３）の記録層１０２は、それぞれ、トラックが形成された基板１０１、１０４の表面にスパッタ等によって形成される。そして、１層目（レイヤー０）と４層目（レイヤー３）の記録層１０２上に紫外線硬化樹脂を塗布し、その上に、表面にトラックを有するスタンパを押し付け、この状態で紫外線を照射して紫外線硬化樹脂を硬化させる。その後、スタンパを引き剥がすことにより、スタンパ上のトラックが転写された２つの中間層１０３が形成される。
【００２６】
これら２つの中間層１０３の表面にスパッタ等によってそれぞれ記録層１０２が形成される。その後、基板１０１側の記録層１０２上にさらに紫外線硬化樹脂を塗布し、その上に、記録層１０２が形成された基板１０４を、記録層１０２側から重ね合わせる。しかる後、紫外線を照射して紫外線硬化樹脂を硬化させる。これにより、３つ目の中間層１０３が形成され、この中間層１０３を媒介として、基板１０１と基板１０４が貼り合わされる。なお、３つの中間層１０３は、波長４００ｎｍ程度の光に対する吸収率が低い紫外線硬化樹脂によって形成される。
【００２７】
図２に、ディスク１０のエリアフォーマットを示す。
【００２８】
ディスク１０の各レイヤーは、内周から順に、クランプ領域１１、ＢＣＡ配置領域１２、リードイン領域１３、データ領域１４、リードアウト領域１５にエリア分割されている。
【００２９】
各レイヤーのＢＣＡ配置領域１２には、予め決められたディスク径方向位置にバーストカッティングエリア（ＢＣＡ）が配置されており、これらＢＣＡには、平坦な記録層をディスク円周方向に沿って間欠的に消失させることにより、所定の情報が記録されている。なお、ＢＣＡに記録されている情報の詳細は、追って図４を参照して説明する。
【００３０】
ディスク１０が回転している状態において、ＢＣＡ上にビームスポットを位置づけると、その反射光には、記録層の消失部分と非消失部分に応じて、明暗が生じる。この明暗の変化を復調することにより、ＢＣＡに記録された情報が再生される。
【００３１】
リードイン領域１３には、記録層上に螺旋状にピット列を配列することにより、当該ディスクの物理パラメータ（ピットサイズ、トラックピッチ、等）に関する情報等が記録されている。リードイン領域１３に記録されている情報（リードイン情報）の詳細は、追って、図５を参照して説明する。
【００３２】
データ領域１４には、螺旋状にピット列が形成され、このピット列によって、ユーザデータが保持されている。リードアウト領域１５には、データ領域１４と同様、螺旋状にピット列が形成されている。リードアウト領域１５には、ユーザデータは記録されず、そこがリードアウト領域であることを示す情報と論理アドレスが記録されている。
【００３３】
図３に、各レイヤーにおけるエリアフォーマットを示す。図示の如く、各レイヤーのＢＣＡ１２ａ〜１２ｄは、ディスク径方向において互いに重ならない位置に配置されている。このようにＢＣＡ１２ａ〜１２ｄを配置すると、ＢＣＡの読み出しの際に、当該ＢＣＡからの反射光に、他のレイヤーのＢＣＡからの迷光が混入することがない。このため、ＢＣＡ情報を適正に再生することができる。なお、ＢＣＡ情報は、共通の変調方式により変調された状態で各レイヤーに記録されている。
【００３４】
レイヤー０とレイヤー１のリードイン領域１３、データ領域１４およびリードアウト領域１５には、リードイン情報、ユーザデータおよびリードアウト情報が、ＥＴＭにより変調された状態で記録されている。また、レイヤー２とレイヤー３のリードイン領域１３、データ領域１４およびリードアウト領域１５には、リードイン情報、ユーザデータおよびリードアウト情報が、ＦＳＭにより変調された状態で記録されている。
【００３５】
図４に、ＢＣＡのデータフォーマットを示す。
【００３６】
図示の如く、ＢＣＡ情報は、プリアンブルと、ＢＣＡデータと、ＥＣＣ（Error Correction Code）と、ポストアンブルからなっている。また、ＢＣＡデータは、ｎ個のデータブロックからなっており、このうち、先頭のデータブロックＤ０には、ＩＤ情報、ＢＣＡバージョン情報、データ長情報、ディスクタイプ情報が保持され、さらに、リザーブ領域が存在する。また、２番目〜ｎ番目のデータブロックＤ１には、ＩＤ情報、ＢＣＡバージョン情報、データ長情報とデータが保持されている。これらの情報のうち、ディスクタイプには、当該ディスクが準拠する規格書のブック番号（ブックバージョン）等の情報や、当該ディスクの種類等が保持されている。
【００３７】
本実施の形態では、先頭のデータブロックＤ０中のリザーブ領域に、各レイヤーのリードイン領域１３、データ領域１４およびリードアウト領域１５に記録された情報がどのような変調方式によって変調されているかを示す情報（以下、「レイヤー変調情報」という）が保持されている。
【００３８】
すなわち、図３の場合、レイヤー０とレイヤー１のＢＣＡ１２ａ、１２ｂのリザーブ領域には、これらレイヤーのリードイン情報、ユーザデータおよびリードアウト情報がＥＴＭにより変調されたことを示すレイヤー変調情報が保持され、また、レイヤー２とレイヤー３のＢＣＡ１２ｃ、１２ｄのリザーブ領域には、これらレイヤーのリードイン情報、ユーザデータおよびリードアウト情報がＦＳＭにより変調されたことを示すレイヤー変調情報が保持されている。
【００３９】
プレーヤは、各ＢＣＡに保持されたレイヤー変調情報を参照することにより、各レイヤーに適用された変調方式を識別することができ、これをもとに、自身が再生可能なレイヤーを知ることができる。
【００４０】
図５に、リードイン領域１３のデータフォーマットを示す。
【００４１】
図示の如く、リードイン領域１３は、イニシャルゾーン、バッファゾーン、コントロールデータゾーン、バッファゾーンに区分される。このうち、コントロールデータゾーンに、ディスクの物理パラメータ等のデータが保持されている。すなわち、コントロールデータゾーンは、コントロールデータセクション、コピーライトデータセクション、リザーブセクション、コントロールデータセクション、コピーライトデータセクションに区分される。２つのコントロールデータセクション、コピーライトデータセクションには、同じ情報が保持されている。
【００４２】
このうち、コントロールデータセクションに、対応する規格書のブックバージョン情報や、再生パワー情報、データの記録開始位置および終了位置情報等の物理パラメータ情報が保持されている。物理パラメータ情報には、データ転送レート等、当該レイヤーの再生に必要な情報が含まれている。この他、コントロールデータセクションには、ディスク製造者を特定するディスク製造情報や、コピープロテクション情報、アンプレイアブルドライブマニュファクチャＩＤが保持され、さらに、リザーブエリアが設定されている。アンプレイアブルドライブマニュファクチャＩＤには、再生を許可しないプレーヤを特定する情報が記録され、リザーブエリアには、特に意味のあるデータは無く、“００”が記録されている。
【００４３】
図６に、本実施の形態に係る光ディスク装置の構成を示す。なお、同図には、再生に関連する回路系のみが示されている。
【００４４】
同図において、レーザ駆動回路２０１は、コントローラ２０９からの指令に応じて、光ピックアップ装置２０２内の半導体レーザを駆動する。すなわち、再生の際に、一定レベルのレーザ光を光ピックアップ装置２０２から出力させる。
【００４５】
光ピックアップ装置２０２は、レーザ光をディスク１０上に集光させるための光学系および対物レンズアクチュエータと、ディスク１０からの反射光を受光する光検出器を備えている。光ピックアップ装置２０２は、ピックアップ送り機構（図示せず）によって、ディスク１０の径方向に移動可能に支持されている。
【００４６】
信号演算回路２０３は、光ピックアップ装置２０２内の光検出器からの信号を演算処理して、各種信号（再生ＲＦ信号、フォーカスエラー信号、トラッキングエラー信号、等）を生成し、それぞれ対応する回路に供給する。
【００４７】
サーボ回路２０４は、信号演算回路２０３から入力されたフォーカスエラー信号およびトラッキングエラー信号からフォーカスサーボ信号およびトラッキングサーボ信号を生成し、光ピックアップ装置２０２内の対物レンズアクチュエータに供給する。また、サーボ回路２０４は、コントローラ２０９からの指令に応じて、フォーカスサーチ等の制御処理を実行する。
【００４８】
スイッチング回路２０５は、コントローラ２０９からの指令に応じて、信号演算回路２０３から入力された再生ＲＦ信号を、第１の復調回路２０６ａと第２の復調回路２０６ｂの何れか一方に供給する。
【００４９】
第１の復調回路２０６ａは、入力された再生ＲＦ信号に対しＢＣＡ情報を記録する際の符号変換処理（変調処理）と逆の符号変換処理を施してデータ列を生成し、生成したデータ列を第１デコーダ２０７ａに出力する。第２の復調回路２０６ｂは、入力された再生ＲＦ信号に対しＥＴＭ変調またはＦＳＭ変調による符号変換処理と逆の変換処理を施してデータ列を生成し、生成したデータ列を第２デコーダ２０７ｂに出力する。
【００５０】
第１デコーダ２０７ａは、第１復調回路２０６ａから入力されたデータ列をデコードしてＢＣＡ情報を生成し、生成したＢＣＡ情報をスイッチング回路２０８に出力する。第２デコーダ２０７ｂは、第２復調回路２０６ｂから入力されたデータ列をデコードしてリードイン情報、ユーザデータ、リードアウト情報を生成し、生成した情報をスイッチング回路２０８に出力する。
【００５１】
スイッチング回路２０８は、コントローラ２０９からの指令に応じて、入力された各情報を振り分ける。すなわち、第１デコーダ２０７ａから入力されたＢＣＡ情報をコントローラ２０９に出力する。また、第２デコーダ２０７ａから入力されたリードイン情報とリードアウト情報をコントローラ２０９に出力し、ユーザデータ（再生データ）を後段回路（図示せず）に出力する。
【００５２】
コントローラ２０９は、ＭＰＵ（Micro Processing Unit）とメモリを備え、メモリに格納された制御プログラムに従って各部を制御する。コントローラ２０９は、第２復調回路２０６ａがＥＴＭとＦＳＭの何れに対応するものであるかを示す情報（以下、「ドライブ変調情報」という）をメモリ内に保持している。この他、コントローラ２０９は、ユーザに対して所定の報知を行うための画像や音声を、出力ＩＦ（図示せず）を介して、モニタやスピーカから出力させる。
【００５３】
図７は、積層方向に複数の記録層（レイヤー）を有するディスク１０が装着されたときの再生処理を示すフローチャートである。
【００５４】
なお、装着されたディスクに複数の記録層が存在するかは、たとえば、当該ディスクに対してフォーカスサーチを行うことにより判別される。すなわち、コントローラ２０９は、ディスク装着時に、サーボ回路２０４にフォーカスサーチを行わせ、その際に信号演算回路２０３から供給されるフォーカスエラー信号を監視する。そして、フォーカスエラー信号上に複数のＳ字カーブが検出されれば、当該ディスクには複数の記録層が存在すると判別し、Ｓ字カーブが一つしか検出されなければ、当該ディスクには記録層が一つしか存在しないと判別する。
【００５５】
複数の記録層（レイヤー）を有するディスクが装着されると、コントローラ２０９は、再生に用いる復調回路を第１復調回路２０６ａに設定して、ＢＣＡ配置領域１２に配置された各レイヤーのＢＣＡを読み取る（Ｓ３０１）。そして、これにより取得した各レイヤーのＢＣＡ情報から上記レイヤー変調情報を取得する。さらに、取得したレイヤー変調情報をもとに、各レイヤーに適用された変調方式を判定し（Ｓ３０２）、自身が再生可能なレイヤーを判定する（Ｓ３０３）。すなわち、コントローラ２０９は、内蔵メモリに保持しているドライブ変調情報と各レイヤーから取得したレイヤー変調情報とを比較し、ドライブ変調情報に整合するレイヤー変調情報のレイヤーを再生可能なレイヤーとして判定する。
【００５６】
たとえば、第２の復調回路２０６ｂがＥＴＭに対応しており、装着されたディスクの各レイヤーが図８を参照して説明した変調方式となっている場合、コントローラ２０９は、レイヤー０〜レイヤー３のうちレイヤー０、１を再生可能であると判定する。他方、第２の復調回路２０６ｂがＦＳＭに対応していれば、コントローラ２０９は、レイヤー２、３を再生可能であると判定する。
【００５７】
しかる後、コントローラ２０９は、当該ディスク中に再生可能なレイヤーが存在するかを判定する（Ｓ３０４）。再生可能なレイヤーが存在しない場合（Ｓ３０４:ＮＯ）、コントローラ２０９は、その旨をユーザに報知して、当該ディスクに対する再生を中止する。一方、再生可能なレイヤーが存在すれば（Ｓ３０４：ＹＥＳ）、コントローラ２０９は、再生に用いる復調回路を第２復調回路２０６ｂに設定して、再生可能なレイヤーに保持されたリードイン情報を読み取る（Ｓ３０５）。そして、再生可能なレイヤーのメニュー画面を生成してモニタ上に表示させ（Ｓ３０７）、ユーザからの再生指令を待つ（Ｓ３０８）。
【００５８】
しかる後、ユーザから再生指令が入力されると（Ｓ３０８：ＹＥＳ）、再生に用いる復調回路を第２復調回路２０６ｂに設定したまま、当該指令に対する再生を実行する（Ｓ３０９）。その後、ユーザから再生動作の終了指令が入力され、あるいは、再生対象のプログラムが終了するまで、コントローラ２０９は再生動作を実行する。
【００５９】
以上、本実施の形態によれば、各レイヤーのＢＣＡ情報が、共通の変調方式にて変調されているため、リードイン情報、ユーザデータおよびリードアウト情報に適用される変調方式が、国や地域毎に相違するような場合にも、各国の光ディスク装置（プレーヤ）にて、全レイヤーのＢＣＡ情報を読み取ることができる。そして、このＢＣＡ情報にレイヤー変調情報が含まれているため、各国のプレーヤは、各レイヤーのレイヤー変調情報をもとに、自身が再生可能なレイヤーを識別することができ、再生可能なレイヤーを円滑に再生することができる。
【００６０】
したがって、たとえば、図３の構成において、レイヤー０、１とレイヤー２、３にそれぞれ同じ内容のコンテンツを記録しておけば、図７の処理フローに従って再生を行うことにより、たとえば日本と中国のプレーヤにおいて、当該コンテンツを再生することができる。この場合、日本のプレーヤでは、レイヤー０、１が再生され、中国のプレーヤではレイヤー２、３が再生される。よって、それぞれのプレーヤにおいて、当該ディスク１０からコンテンツを円滑に再生することができる。このように、本実施の形態によれば、１枚のディスク１０によって、変調方式が互いに異なる国のプレーヤに対応することができる。
【００６１】
＜変更例１＞
上記実施の形態では、各レイヤーのＢＣＡ情報のみを共通の変調方式にて変調するようにしたが、各レイヤーのＢＣＡ情報とリードイン情報の両方を、共通の変調方式（たとえば、ＥＴＭ）にて変調するようにしても良い。こうすると、各国のプレーヤは、ＢＣＡ情報のみならずリードイン情報も、全てのレイヤーから再生することができる。
【００６２】
この場合、さらに、各レイヤーのリードイン情報に、レイヤー変調情報を含めるようにしても良い。この場合、レイヤー変調情報は、たとえば、図５のコントロールデータセクション中のリザーブ領域に含めることができ、あるいは、物理パラメータ情報中の空き領域に含めることもできる。この場合、各国のプレーヤは、ＢＣＡ情報のみならずリードイン情報からも、レイヤー変調情報を取得することができる。
【００６３】
こうすると、プレーヤは、ＢＣＡ情報とリードイン情報の双方または何れかから、再生可能なレイヤーを判別することができる。よって、プレーヤは、たとえば、ＢＣＡ情報を読み出せない、あるいは、読み出さない場合にも、リードイン情報中のレイヤー変調情報から再生可能な記録層を判別することができる。また、ＢＣＡ情報を読み出した場合にも、ＢＣＡ情報中のレイヤー変調情報に基づく判別結果の適否を、リードイン情報中のレイヤー変調情報をもとに確認することができる。よって、プレーヤは、より確実な判別結果を得ることができ、適正な再生動作を行うことができる。また、ＢＣＡにレイヤー変調情報が欠落していても、適正な再生動作が可能となる。
【００６４】
＜変更例２＞
上記実施の形態では、レイヤー０、１にＥＴＭを適用し、レイヤー２、３にＦＳＭを適用したが、たとえば、図８に示すように、レイヤー０、２にＥＴＭを適用し、レイヤー１、３にＦＳＭを適用しても良い。この場合、積層方向に隣り合うレイヤー間では変調方式が異なることとなる。
【００６５】
こうすると、たとえば、レイヤー１のユーザデータを再生する場合に、レイヤー１からの反射光に基づく再生ＲＦ信号の周波数帯（ＦＳＭに対応した周波数帯）と、その上下のレイヤー０、２からの迷光に基づく再生ＲＦ信号の周波数帯（ＥＴＭに対応した周波数帯）を相違させることができる。よって、プレーヤにおいて、ＦＳＭに対応する周波数成分をフィルタによって再生ＲＦ信号から抽出することにより、レイヤー０、２からの迷光による影響を抑制することができ、ユーザデータを円滑に再生することができる。
【００６６】
図９は、この場合の光ディスク装置（プレーヤ）の構成を示す図である。この構成例では、第２復調回路２０６の前にフィルタ２１０が配されている。第２復調回路２０６ｂがＥＴＭに対応するものである場合、フィルタ２１０は、ＥＴＭに対応した周波数帯を再生ＲＦ信号から抽出するよう構成される。また、第２復調回路２０６ｂがＦＳＭに対応するものである場合、フィルタ２１０は、ＦＳＭに対応した周波数帯を再生ＲＦ信号から抽出するよう構成される。ここで、フィルタ２１０は、たとえば、櫛型フィルタから構成される。
【００６７】
このようにフィルタ２１０を配すると、第２復調回路２０６ｂでの復調に不要な、迷光による信号成分を抑制することができる。よって、第２復調回路２０６ｂにおける復調処理が適正化され、再生可能なレイヤーに対する再生動作をより円滑に行うことができる。
【００６８】
＜変更例３＞
上記実施の形態では、国や地域で変調方式が相違する場合に円滑に対応できるようにすることを目的として、ディスク１０と光ディスク装置を構成したが、上記変更例２にて説明した迷光対策のみを目的とする場合には、ディスク１０と光ディスク装置の構成が、上記構成から、たとえば、以下のように変更され得る。
【００６９】
まず、ディスク１０については、上記変更例２にて説明したと同じく、積層方向に隣り合うレイヤー間において、リードイン領域１３、データ領域１４、リードアウト領域１５に適用される変調方式が互いに異なるように調整される。たとえば、図８に示すように、レイヤー０，１に同じ変調方式が適用され、レイヤー１、２にレイヤー０、１とは異なる変調方式が適用される。
【００７０】
ただし、この場合、レイヤー０、２とレイヤー１、３にそれぞれ適用される変調方式は、迷光対策のみを目的とする場合には、必ずしも、ＥＴＭ、ＦＳＭである必要はなく、リードイン領域１３、データ領域１４、リードアウト領域１５を再生したときの再生ＲＦ信号の周波数帯が、レイヤー０、２とレイヤー１、３とで適正に区別できるような変調方式であれば良い。なお、各レイヤーのＢＣＡには、上記と同様、共通の変調方式が適用される。
【００７１】
一方、光ディスク装置（プレーヤ）は、必ずしも、一種類の変調方式に対応するものである必要はなく、むしろ、ディスクに適用された全ての変調方式に対応可能であるのが望ましいと言える。たとえば、図８の構成において、レイヤー０〜３に渡って一連のコンテンツが保持されているような場合には、光ディスク装置（プレーヤ）は、レイヤー０、２の変調方式のみならず、レイヤー１、３の変調方式にも対応可能でなければならない。つまり、光ディスク装置（プレーヤ）は、レイヤー０、２とレイヤー１、３を再生できるように、２種類の復調回路を備えている必要がある。この場合、プレーヤが自動的に復調方式を切り替えながら再生しても良いし、ユーザが、適宜、再生に応じた復調方式を選択できるようにしても良い。
【００７２】
図１０（ａ）は、レイヤー０、２に適用される変調方式の一例（第１の変調方式）を示す図である。ここでは、０の連続個数が２個、４個、５個、６個、７個または９個となり且つ１が連続しないように、５ビットのデータ列が１６ビットのデータ列に変換される。したがって、このデータ列をＮＲＺＩ変調（Non Return to Zero Inversion）すると、信号幅が３Ｔ、５Ｔ、６Ｔ、７Ｔ、８Ｔ、９Ｔまたは１０Ｔの信号が生成される。
【００７３】
レイヤー０、２（偶数層）のリードイン情報、ユーザデータおよびリードアウト情報は、それぞれ、図１０（ａ）の変換テーブルをもとに符号変換が行われた後、さらに、ＮＲＺＩ変調を施されて、信号幅が３Ｔ、５Ｔ、６Ｔ、７Ｔ、８Ｔ、９Ｔまたは１０Ｔの信号としてリードイン領域１３、データ領域１４およびリードアウト領域１５に記録される。
【００７４】
図１０（ｂ）は、レイヤー１、３（奇数層）に適用される変調方式の一例（第２の変調方式）を示す図である。ここでは、０の連続個数が１個か３個となり且つ１が連続しないように、５ビットのデータ列が１６ビットのデータ列に変換される。したがって、このデータ列をＮＲＺＩ変調すると、信号幅が２Ｔまたは４Ｔの信号が生成される。
【００７５】
レイヤー１、３のリードイン情報、ユーザデータおよびリードアウト情報は、それぞれ、図１０（ｂ）の変換テーブルをもとに符号変換が行われた後、さらに、ＮＲＺＩ変調を施されて信号幅が２Ｔまたは４Ｔの信号を生成としてリードイン領域１３、データ領域１４およびリードアウト領域１５に記録される。
【００７６】
図１１は、このように変調されたレイヤー０〜３の全てを再生する場合の光ディスク装置の構成例を示す図である。この構成では、レイヤー０、２を再生するための構成としてフィルタ２１１ａと第２復調回路２１２ａが配され、また、レイヤー１、３を再生するための構成としてフィルタ２１１ｂと第３復調回路２１２ｂが配されている。
【００７７】
フィルタ２１１ａは、レイヤー０、２のリードイン情報、ユーザデータおよびリードアウト情報を再生したときの再生ＲＦ信号の周波数帯域、すなわち、１／（６Ｔ）、１／（１０Ｔ）、１／（１２Ｔ）、１／（１４Ｔ）、１／（１６Ｔ）、１／（１８Ｔ）および１／（２０Ｔ）の周波数帯域を透過する櫛型フィルタから構成されている。また、フィルタ２１１ｂは、レイヤー１、３のリードイン情報、ユーザデータおよびリードアウト情報を再生したときの再生ＲＦ信号の周波数帯域すなわち、１／（４Ｔ）および１／（８Ｔ）の周波数帯域を透過する櫛型フィルタから構成されている。図１２（ａ）はフィルタ２１１ａの透過特性、図１２（ｂ）はフィルタ２１１ｂの透過特性である。
【００７８】
レイヤー０、２のリードイン情報、ユーザデータおよびリードアウト情報を再生する際には、レイヤー１、３からの再生信号成分（迷光によるノイズ成分）がフィルタ２１１ａによって除去される。また、レイヤー１、３のリードイン情報、ユーザデータおよびリードアウト情報を再生する際には、レイヤー０、２からの再生信号成分（迷光によるノイズ成分）がフィルタ２１１ｂによって除去される。よって、フィルタ２１１ａ、２１１ｂから出力される再生ＲＦ信号を、それぞれ、対応する復調方式にて復調することにより、信頼性の高い復調信号を得ることができる。
【００７９】
図１１に戻り、第２の復調回路２１２ａは、フィルタ２１１ａから入力された再生ＲＦ信号をＮＲＺＩ復調してデータ列を生成し、生成したデータ列に対して図１０（ａ）における符号化変換と逆の変換を行ってデータ列を生成する。すなわち、図１０（ａ）に示す変換テーブルをもとに、順次、１６ビットのデータ列を５ビットのデータ列に変換してスイッチング回路２０８に出力する。
【００８０】
第３の復調回路２１２ｂは、フィルタ２１１ｂから入力された再生ＲＦ信号をＮＲＺＩ復調してデータ列を生成し、生成したデータ列に対して図１０（ｂ）における符号化変換と逆の変換を行ってデータ列を生成する。すなわち、図１０（ｂ）に示す変換テーブルをもとに、順次、１６ビットのデータ列を５ビットのデータ列に変換してスイッチング回路２０８に出力する。
【００８１】
スイッチング回路２０８は、コントローラ２０９からの指令に応じて、第２の復調回路２１２ａおよび第３の復調回路２１３ｂから入力された復調信号のうち何れか一方をデコーダ２１３に出力する。デコーダ２１３は、スイッチング回路２０８から入力された復調信号をデコード処理して再生データを生成し後段回路に出力する。また、デコーダ２１３は、処理結果（リードイン情報、リードアウト情報）をコントローラ２０９に供給する。
【００８２】
図１１の構成において、レイヤー０、２のリードイン情報、ユーザデータおよびリードアウト情報を再生する場合、コントローラ２０９は、信号演算回路２０３からの再生ＲＦ信号がフィルタ２１１ａ、第２の復調回路２１２ａおよびデコーダ２１３のルートに従って処理されるようにスイッチング回路２０５、２０８を制御する。したがって、この場合には、信号幅が３Ｔ、５Ｔ、６Ｔ、７Ｔ、８Ｔ、９Ｔおよび１０Ｔの再生ＲＦ信号が抽出され再生される。
【００８３】
また、レイヤー１、３のリードイン情報、ユーザデータおよびリードアウト情報を再生する場合、コントローラ２０９は、信号演算回路２０３からの再生ＲＦ信号がフィルタ２１１ｂ、第３の復調回路２１２ｂおよびデコーダ２１３のルートに従って処理されるようにスイッチング回路２０５、２０８を制御する。したがって、この場合には、信号幅が２Ｔおよび４Ｔの再生ＲＦ信号が抽出され再生される。
【００８４】
図１１の構成において、コントローラ２０９は、上記実施形態と同様、ディスク装着時に各レイヤーのＢＣＡ情報を読み取り、そこに含まれるレイヤー変調情報をもとに、各レイヤーに適用された変調方式を判別する。そして、各レイヤーのリードイン情報、ユーザデータおよびリードアウト情報を再生する際には、判別した変調方式に対応するフィルタと復調回路を選択して再生を行う。これにより、迷光による信号成分がカットされた再生ＲＦ信号をもとに復調を行うことができ、円滑な再生動作を実現することができる。上記の説明では、２種類の変調方式で記録された光ディスクについて説明したが、これに限らず、３種類以上の変調方式を用いても良い。また、上記では、２層ずつ同じ変調方式が適用されたが、これに限らず、各層にそれぞれ互いに異なる変調方式を適用しても良い。
【００８５】
以上、本発明の実施の形態およびその変更例について説明したが、本発明はこれら実施形態および変更例に何ら制限されるものではなく、また、本発明の実施形態も、上記以外に種々の変更が可能である。
【００８６】
たとえば、上記では、ＨＤ−ＲＯＭを例に説明を行ったが、本発明は、ＨＤ以外の光ディスク（たとえば、ＢＤなど）およびこれを再生する光ディスク装置にも適宜適用可能である。また、上記実施の形態では、記録層を４層有するＨＤ−ＲＯＭを例示したが、記録層の層数は４層に限らず、２、３層または５層以上の記録層を有する光ディスクおよびその再生装置にも本発明を適用可能である。
【００８７】
この他、本発明の実施の形態は、特許請求の範囲に示された技術的思想の範囲内において、適宜、種々の変更が可能である。
【図面の簡単な説明】
【００８８】
【図１】実施の形態に係る光ディスクの構成を示す図
【図２】実施の形態に係る光ディスクのエリアフォーマットを示す図
【図３】実施の形態に係る各レイヤーのエリアフォーマットを示す図
【図４】実施の形態に係るＢＣＡ情報の構成を示す図
【図５】実施の形態に係るリードイン情報の構成を示す図
【図６】実施の形態に係る光ディスク装置の構成を示す図
【図７】実施の形態に係るディスク再生時の処理フローを示す図
【図８】変更例２に係る各レイヤーのエリアフォーマットを示す図
【図９】変更例２に係る光ディスク装置の構成を示す図
【図１０】変更例３に係る変調方式（符号変換テーブル）を示す図
【図１１】変更例３に係る光ディスク装置の構成を示す図
【図１２】変更例３に係るフィルタの特性を示す図
【符号の説明】
【００８９】
１０  …  ディスク
１２  …  ＢＣＡ配置領域
１２ａ、１２ｂ、１２ｃ、１２ｄ  …  ＢＣＡ（第１の領域）
１３  …  リードイン領域（第２の領域）
１４  …  データ領域（第３の領域）
１０２  …  記録層
２０２  …  光ピックアップ
２０５  …  スイッチング回路
２０６ａ  …  第１復調回路
２０６ｂ  …  第２復調回路
２０７ａ  …  第１デコーダ
２０７ｂ  …  第２デコーダ
２０８  …  スイッチング回路
２０９  …  コントローラ
２１０  …  フィルタ
２１１ａ  …  フィルタ
２１２ａ  …  第２復調回路
２１１ｂ  …  フィルタ
２１２ｂ  …  第３復調回路
【図１】
2009245472.tif 000003
【図２】
2009245472.tif 000004
【図３】
2009245472.tif 000005
【図４】
2009245472.tif 000006
【図５】
2009245472.tif 000007
【図６】
2009245472.tif 000008
【図７】
2009245472.tif 000009
【図８】
2009245472.tif 000010
【図９】
2009245472.tif 000011
【図１０】
2009245472.tif 000012
【図１１】
2009245472.tif 000013
【図１２】
2009245472.tif 000014